【手続補正書】
【提出日】平成19年2月6日(2007.2.6)
【手続補正１】
【補正対象書類名】明細書
【補正対象項目名】発明の名称
【補正方法】変更
【補正の内容】
【発明の名称】表示制御装置、表示制御方法、及び記憶媒体
【手続補正２】
【補正対象書類名】明細書
【補正対象項目名】特許請求の範囲
【補正方法】変更
【補正の内容】
【特許請求の範囲】
【請求項１】  複数の番組の番組情報を一覧表示する一覧表示領域と、番組の詳細な番組情報を表示する詳細表示領域とを有する電子番組表を表示装置に表示させる表示制御装置であって、
前記一覧表示領域に表示された複数の番組の中から任意の番組を選択指定するための選択指定手段と、
前記選択指定手段で選択指定された番組の詳細な番組情報を前記詳細表示領域に表示させる表示制御手段とを備え、
前記表示制御手段は、前記選択指定手段で第１の番組が選択指定されて、前記第１の番組の詳細な番組情報を前記詳細表示領域に表示させた後に、前記選択指定手段で第２の番組が選択指定された場合、前記詳細表示領域に前記第１の番組の詳細な番組情報に加えて前記第２の番組の詳細な番組情報を表示させることを特徴とする表示制御装置。
【請求項２】  前記表示制御手段は、前記選択指定手段で第１の番組が選択指定されて、前記第１の番組の詳細な番組情報を前記詳細表示領域に表示させた後に、前記選択指定手段で第２の番組が選択指定された場合、前記詳細表示領域を拡張して、当該拡張された詳細表示領域に前記第１及び第２の番組の詳細な番組情報を表示させることを特徴とする請求項１に記載の表示制御装置。
【請求項３】  前記番組情報は、番組の名称を含み、
前記詳細な番組情報は、番組の内容に関する詳細情報、番組の属するジャンルに関する情報、及び番組に対する課金情報のうち少なくとも一つの情報を含むことを特徴とする請求項１又は請求項２に記載の表示制御装置。
【請求項４】  複数の番組の番組情報を一覧表示する一覧表示領域と、番組の詳細な番組情報を表示する詳細表示領域とを有する電子番組表を表示装置に表示させる表示制御装置であって、
前記一覧表示領域に表示された複数の番組の中から任意の番組を選択するための選択手段と、
前記選択手段で選択された番組の詳細な番組情報を前記詳細表示領域に表示させる表示制御手段と、
前記選択手段で選択された番組の詳細な番組情報を前記詳細表示領域に固定的に表示させる場合に該番組を指定するための選択指定手段とを備え、
前記表示制御手段は、前記複数の番組の中の所定の番組が前記選択手段で選択され、当該所定の番組が前記選択指定手段で指定された後、前記複数の番組の中の他の番組が前記選択手段で選択された場合は、前記所定の番組の詳細な番組情報を前記詳細表示領域に固定的に表示させた状態を維持しつつ、前記選択手段で選択された前記他の番組の詳細な番組情報を前記詳細表示領域以外の領域に表示させることを特徴とする表示制御装置。
【請求項５】  前記表示制御手段は、前記選択手段で選択された前記他の番組の詳細な番組情報を前記一覧表示領域にポップアップ表示させることを特徴とする請求項４に記載の表示制御装置。
【請求項６】  前記表示制御手段は、前記選択手段で選択された前記他の番組が前記選択指定手段で指定された場合は、前記詳細表示領域を拡張して、当該拡張された詳細表示領域に前記所定の番組及び前記他の番組の詳細な番組情報を表示させることを特徴とする請求項４又は請求項５に記載の表示制御装置。
【請求項７】  前記番組情報は、番組の名称を含み、
前記詳細な番組情報は、番組の内容に関する詳細情報、番組の属するジャンルに関する情報、及び番組に対する課金情報のうち少なくとも一つの情報を含むことを特徴とする請求項４から請求項６のいずれか１項に記載の表示制御装置。
【請求項８】  複数の番組の番組情報を一覧表示する一覧表示領域と、番組の詳細な番組情報を表示する詳細表示領域とを有する電子番組表を表示装置に表示させる表示制御方法であって、
前記一覧表示領域に表示された複数の番組の中から選択指定された第１の番組の詳細な番組情報を前記詳細表示領域に表示させる第１の表示ステップと、
前記第１の表示ステップの後に、前記一覧表示領域に表示された複数の番組の中から第２の番組が選択指定された場合、前記詳細表示領域に前記第１の番組の詳細な番組情報に加えて前記第２の番組の詳細な番組情報を表示させる第２の表示ステップとを有することを特徴とする表示制御方法。
【請求項９】  前記第２の表示ステップにおいて、前記詳細表示領域を拡張して、当該拡張された詳細表示領域に前記第１及び第２の番組の詳細な番組情報を表示させることを特徴とする請求項８に記載の表示制御方法。
【請求項１０】  前記番組情報は、番組の名称を含み、
前記詳細な番組情報は、番組の内容に関する詳細情報、番組の属するジャンルに関する情報、及び番組に対する課金情報のうち少なくとも一つの情報を含むことを特徴とする請求項８又は請求項９に記載の表示制御方法。
【請求項１１】  複数の番組の番組情報を一覧表示する一覧表示領域と、番組の詳細な番組情報を表示する詳細表示領域とを有する電子番組表を表示装置に表示させる表示制御方法であって、
前記一覧表示領域に表示された複数の番組の中から所定の番組が選択されたことに応じて、当該所定の番組の詳細な番組情報を前記詳細表示領域に表示させる第１の選択ステップと、
前記第１の選択ステップで選択された前記所定の番組が指定されたことに応じて、当該所定の番組の詳細な番組情報を前記詳細表示領域に固定的に表示させる第１の選択指定ステップと、
前記第１の選択指定ステップの後、前記複数の番組の中の他の番組が選択されたことに応じて、前記所定の番組の詳細な番組情報を前記詳細表示領域に固定的に表示させた状態を維持しつつ、選択された前記他の番組の詳細な番組情報を前記詳細表示領域以外の領域に表示させる第２の選択ステップとを有することを特徴とする表示制御方法。
【請求項１２】  前記第２の選択ステップにおいて、選択された前記他の番組の詳細な番組情報を前記一覧表示領域にポップアップ表示させることを特徴とする請求項１１に記載の表示制御方法。
【請求項１３】  さらに、前記第２の選択ステップで選択された前記他の番組が指定されたことに応じて、前記詳細表示領域を拡張して、当該拡張された詳細表示領域に前記所定の番組及び前記他の番組の詳細な番組情報を表示させる第２の選択指定ステップを有することを特徴とする請求項１１又は請求項１２に記載の表示制御方法。
【請求項１４】  前記番組情報は、番組の名称を含み、
前記詳細な番組情報は、番組の内容に関する詳細情報、番組の属するジャンルに関する情報、及び番組に対する課金情報のうち少なくとも一つの情報を含むことを特徴とする請求項１１から請求項１３のいずれか１項に記載の表示制御方法。
【請求項１５】  請求項８から請求項１４のいずれか１項に記載の表示制御方法の動作をコンピュータに実行させるためのプログラムを記憶したコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、番組情報を表示可能な装置、例えば、ディジタルテレビジョン放送で送信される電子番組ガイド（ＥＰＧ：Ｅｌｅｃｔｒｏｎｉｃ ＰｒｏｇｒａｍＧｕｉｄｅ）の表示が可能である表示制御装置、表示制御方法、及びそれを実施するための処理ステップをコンピュータが読出可能に格納した記憶媒体に関するものである。
【手続補正４】
【補正対象書類名】明細書
【補正対象項目名】００３２
【補正方法】変更
【補正の内容】
【００３２】
【課題を解決するための手段】
斯かる目的下において、本願発明に係る表示制御装置は、複数の番組の番組情報を一覧表示する一覧表示領域と、番組の詳細な番組情報を表示する詳細表示領域とを有する電子番組表を表示装置に表示させる表示制御装置であって、一覧表示領域に表示された複数の番組の中から任意の番組を選択指定するための選択指定手段と、選択指定手段で選択指定された番組の詳細な番組情報を詳細表示領域に表示させる表示制御手段とを備える。表示制御手段は、選択指定手段で第１の番組が選択指定されて、第１の番組の詳細な番組情報を詳細表示領域に表示させた後に、選択指定手段で第２の番組が選択指定された場合、詳細表示領域に第１の番組の詳細な番組情報に加えて第２の番組の詳細な番組情報を表示させることを特徴とする。
【手続補正５】
【補正対象書類名】明細書
【補正対象項目名】００３３
【補正方法】変更
【補正の内容】
【００３３】
本願発明に係る他の表示制御装置は、複数の番組の番組情報を一覧表示する一覧表示領域と、番組の詳細な番組情報を表示する詳細表示領域とを有する電子番組表を表示装置に表示させる表示制御装置であって、一覧表示領域に表示された複数の番組の中から任意の番組を選択するための選択手段と、選択手段で選択された番組の詳細な番組情報を詳細表示領域に表示させる表示制御手段と、選択手段で選択された番組の詳細な番組情報を詳細表示領域に固定的に表示させる場合に該番組を指定するための選択指定手段とを備える。表示制御手段は、複数の番組の中の所定の番組が選択手段で選択され、当該所定の番組が選択指定手段で指定された後、複数の番組の中の他の番組が選択手段で選択された場合は、所定の番組の詳細な番組情報を詳細表示領域に固定的に表示させた状態を維持しつつ、選択手段で選択された他の番組の詳細な番組情報を詳細表示領域以外の領域に表示させることを特徴とする。
【手続補正６】
【補正対象書類名】明細書
【補正対象項目名】００３４
【補正方法】変更
【補正の内容】
【００３４】
本願発明に係る表示制御方法は、複数の番組の番組情報を一覧表示する一覧表示領域と、番組の詳細な番組情報を表示する詳細表示領域とを有する電子番組表を表示装置に表示させる表示制御方法であって、一覧表示領域に表示された複数の番組の中から選択指定された第１の番組の詳細な番組情報を詳細表示領域に表示させる第１の表示ステップと、第１の表示ステップの後に、一覧表示領域に表示された複数の番組の中から第２の番組が選択指定された場合、詳細表示領域に第１の番組の詳細な番組情報に加えて第２の番組の詳細な番組情報を表示させる第２の表示ステップとを有することを特徴とする。
【手続補正７】
【補正対象書類名】明細書
【補正対象項目名】００３５
【補正方法】変更
【補正の内容】
【００３５】
本願発明に係る他の表示制御方法は、複数の番組の番組情報を一覧表示する一覧表示領域と、番組の詳細な番組情報を表示する詳細表示領域とを有する電子番組表を表示装置に表示させる表示制御方法であって、一覧表示領域に表示された複数の番組の中から所定の番組が選択されたことに応じて、当該所定の番組の詳細な番組情報を詳細表示領域に表示させる第１の選択ステップと、第１の選択ステップで選択された所定の番組が指定されたことに応じて、当該所定の番組の詳細な番組情報を詳細表示領域に固定的に表示させる第１の選択指定ステップと、第１の選択指定ステップの後、複数の番組の中の他の番組が選択されたことに応じて、所定の番組の詳細な番組情報を詳細表示領域に固定的に表示させた状態を維持しつつ、選択された他の番組の詳細な番組情報を詳細表示領域以外の領域に表示させる第２の選択ステップとを有することを特徴とする。
【手続補正８】
【補正対象書類名】明細書
【補正対象項目名】００３６
【補正方法】変更
【補正の内容】
【００３６】
本願発明に係る記憶媒体は、上記表示制御方法の動作をコンピュータに実行させるためのプログラムを記憶したコンピュータ読取可能な記憶媒体であることを特徴とする。
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】
【手続補正２０】
【補正対象書類名】明細書
【補正対象項目名】００４８
【補正方法】削除
【補正の内容】
【手続補正２１】
【補正対象書類名】明細書
【補正対象項目名】００４９
【補正方法】削除
【補正の内容】
【手続補正２２】
【補正対象書類名】明細書
【補正対象項目名】００５０
【補正方法】削除
【補正の内容】
【手続補正２３】
【補正対象書類名】明細書
【補正対象項目名】００５１
【補正方法】削除
【補正の内容】
【手続補正２４】
【補正対象書類名】明細書
【補正対象項目名】００５２
【補正方法】削除
【補正の内容】
【手続補正２５】
【補正対象書類名】明細書
【補正対象項目名】００５３
【補正方法】削除
【補正の内容】
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】
【手続補正２９】
【補正対象書類名】明細書
【補正対象項目名】００５７
【補正方法】削除
【補正の内容】
【手続補正３０】
【補正対象書類名】明細書
【補正対象項目名】００５８
【補正方法】削除
【補正の内容】
【手続補正３１】
【補正対象書類名】明細書
【補正対象項目名】００５９
【補正方法】削除
【補正の内容】
【手続補正３２】
【補正対象書類名】明細書
【補正対象項目名】００６０
【補正方法】削除
【補正の内容】
【手続補正３３】
【補正対象書類名】明細書
【補正対象項目名】００６１
【補正方法】削除
【補正の内容】
【手続補正３４】
【補正対象書類名】明細書
【補正対象項目名】００６２
【補正方法】削除
【補正の内容】
【手続補正３５】
【補正対象書類名】明細書
【補正対象項目名】００６３
【補正方法】削除
【補正の内容】
【手続補正３６】
【補正対象書類名】明細書
【補正対象項目名】００６４
【補正方法】削除
【補正の内容】
【手続補正３７】
【補正対象書類名】明細書
【補正対象項目名】００６５
【補正方法】削除
【補正の内容】
【手続補正３８】
【補正対象書類名】明細書
【補正対象項目名】００６６
【補正方法】削除
【補正の内容】
【手続補正３９】
【補正対象書類名】明細書
【補正対象項目名】００６７
【補正方法】削除
【補正の内容】
【手続補正４０】
【補正対象書類名】明細書
【補正対象項目名】００６８
【補正方法】削除
【補正の内容】
【手続補正４１】
【補正対象書類名】明細書
【補正対象項目名】００６９
【補正方法】削除
【補正の内容】
【手続補正４２】
【補正対象書類名】明細書
【補正対象項目名】００７０
【補正方法】削除
【補正の内容】
【手続補正４３】
【補正対象書類名】明細書
【補正対象項目名】００７１
【補正方法】削除
【補正の内容】
【手続補正４４】
【補正対象書類名】明細書
【補正対象項目名】００７２
【補正方法】削除
【補正の内容】
【手続補正４５】
【補正対象書類名】明細書
【補正対象項目名】００７３
【補正方法】削除
【補正の内容】
【手続補正４６】
【補正対象書類名】明細書
【補正対象項目名】００７４
【補正方法】削除
【補正の内容】
【手続補正４７】
【補正対象書類名】明細書
【補正対象項目名】００７５
【補正方法】削除
【補正の内容】
【手続補正４８】
【補正対象書類名】明細書
【補正対象項目名】００７６
【補正方法】削除
【補正の内容】
【手続補正４９】
【補正対象書類名】明細書
【補正対象項目名】００７７
【補正方法】削除
【補正の内容】
【手続補正５０】
【補正対象書類名】明細書
【補正対象項目名】００７８
【補正方法】削除
【補正の内容】
【手続補正５１】
【補正対象書類名】明細書
【補正対象項目名】００７９
【補正方法】削除
【補正の内容】
【手続補正５２】
【補正対象書類名】明細書
【補正対象項目名】００８０
【補正方法】削除
【補正の内容】
【手続補正５３】
【補正対象書類名】明細書
【補正対象項目名】００８１
【補正方法】削除
【補正の内容】
【手続補正５４】
【補正対象書類名】明細書
【補正対象項目名】００８６
【補正方法】変更
【補正の内容】
【００８６】
＜受信装置１００の一連の動作＞
先ず、チューナ部１０１は、アンテナからのデータを受信し、当該受信データの復調や誤り訂正等の処理を実行する。（ここで、チューナ部１０１は受信手段に相当する。）
デスクランブラ１０２は、チューナ部１０１での処理後のデータ（トランスポートストリーム（ＴＳ））に対して視聴制限のためのスクランブルがかけられていた場合、ＩＣカード制御部１１７からの情報及び当該ＴＳに含まれる情報に基づき、当該ＴＳのスクランブルを解除する。
【手続補正５５】
【補正対象書類名】明細書
【補正対象項目名】００８７
【補正方法】変更
【補正の内容】
【００８７】
デマルチプレクサ１０３は、デスクランブラ１０２からのＴＳ、すなわち複数チャンネル分の映像データ、音声データ、及びＥＰＧデータ等が時分割多重化されているＴＳから、ユーザから選択されたチャンネルの映像データＤ１、音声データＤ２、及びＥＰＧデータＤ３を取り出し、映像データＤ１をビデオデコーダ１０４へ供給し、音声データＤ２をオーディオデコーダ１０５へ供給し、ＥＰＧデータＤ３を一旦メモリ１０７へ格納する。（ここで、ＥＰＧデータは番組情報データに相当する。）
【手続補正５６】
【補正対象書類名】明細書
【補正対象項目名】００９２
【補正方法】変更
【補正の内容】
【００９２】
表示制御部１０９は、ＥＰＧ画面構成部１０８からのＥＰＧ画面のデータと、ビデオデコーダ１０４からの復号化後の映像データとを切り替えて、画像表示部１１２へ表示させる、或いは、ＥＰＧ画面を画像表示部１１２へＯＳＤ（ＯｎＳｃｒｅｅｎ Ｄｉｓｐｌａｙ）表示させるための制御を行う。（ここで、表示制御部１０９は、表示制御手段に相当し、画像表示部１１２は、表示装置に相当する。）
【手続補正５７】
【補正対象書類名】明細書
【補正対象項目名】００９４
【補正方法】変更
【補正の内容】
【００９４】
図２は、ＥＰＧ画面構成部１０８により構成されるＥＰＧ画面の一例（ＥＰＧ画面２００）を示したものである。
上記図２において、"２０１"は、チャンネル名又はチャンネル番号を示す表示領域であり、"２０２"は、各チャンネル番組の開始及び終了時刻を明示するための時間軸である。そして、チャンネル番号軸と時間軸とを基準に各番組を選択する為の項目を一覧表示する。ここで、各番組の項目とは、図中のＤ−２、Ａ−１等の表示であり、例えば、各番組の番組名である。（また、各番組の項目とは、番組情報に相当する。）
"２０３"は、各チャンネル番組の中の所望する番組を選択するための選択カーソルであり、"２０４"は、選択カーソル２０３によって選択されている番組のチャンネル名又はチャンネル、番号、番組名、放送日時、番組内容、ジャンル、及び課金情報等の付帯情報を表示する領域である。（ここで、付帯情報とは、詳細番組情報に相当する。）
"２０５"は、現在の日時を示すための表示領域であり、"２０６"は、現在選択されているネットワークの名称を示すための表示領域である。（ここで、ネットワークとは、伝送路に相当する。）
【手続補正５８】
【補正対象書類名】明細書
【補正対象項目名】００９５
【補正方法】変更
【補正の内容】
【００９５】
選択カーソル２０３は、カーソル発生部１２０（上記図１参照）により発生されるものであり、操作部１１４或いはリモコン１１６により、その移動や任意の領域の指定等が可能となっている。（ここで、操作部１１４或いはリモコン１１６は、選択手段及び選択指定手段に相当する。）
【手続補正５９】
【補正対象書類名】明細書
【補正対象項目名】０１０１
【補正方法】変更
【補正の内容】
【０１０１】
上記のスクロール処理は、スクロール制御部１２１により実施される。
すなわち、スクロール制御部１２１は、カーソル指定判別部１１９からのカーソル位置情報（選択カーソル２０３の位置情報）からスクロール処理後に表示が必要なＥＰＧデータをＥＰＧデコーダ１０６へ指定する。（ここで、スクロール制御部１２１は、表示制御手段に相当する。）